(57)【特許請求の範囲】
【請求項１】
一対の柱部とこれら柱部間を連結する連結部とが一体に形成されてなるスタンド部材と、上記スタンド部材の連結部に対して基端部が水平方向に対してスライド自在に組み合わされた下顎模型取付部材と、上記下顎模型取付部材の主面中央部に設けた取付部に取り付けられるとともに主面上に下顎模型が設置される下顎模型取付台と、上記下顎模型取付部材の他端部に設けられたインサイザルテーブルとから構成された下顎フレーム構体と、
上記スタンド部材のそれぞれの柱部に対して回動支持機構とスライド支持機構とを介して基部の両側部を回動自在かつスライド自在に支持されてなる上顎模型取付部材と、上記下顎模型取付台に対応して上記上顎模型取付部材のフランクフルト平面を構成する主面の中央部に設けた取付部に上記下顎模型取付部材のスライド方向に対して直交する水平方向に対して移動自在に取り付けられる上顎模型取付台と、上記上顎模型取付部材の先端部にスライド自在かつ首振り自在に支持する支持機構を介して取り付けられるインサイザルピンとから構成された上顎フレーム構体と
を組み合わせて構成してなる咬合器。
【請求項２】
上記下顎フレーム構体の各構成部材と上記上顎フレーム構体の各構成部材には、それぞれの外周縁部が円弧状を呈するように全体に面取りが施されていることを特徴とする請求項１に記載の咬合器。
【請求項３】
上記下顎模型取付部材の主面に固定される基台部と、この基台部に対して高さ位置が調整自在とされるとともに上記下顎模型取付部材の主面に対する角度が調整自在に組み合わされた上顎模型取付基準台とからなる模型取付調整装置が用いられ、
上記上顎模型は、上記下顎模型取付部材に取り付けられてフランクフルト面に対する角度及び高さが調整された上記上顎模型取付基準台上に仮止めされた後、この上顎模型取付基準台を基準として上記上顎模型取付台に装着されることを特徴とする請求項１又は請求項２に記載の咬合器。
【発明の詳細な説明】
【０００１】
【発明の属する技術分野】
本発明は、歯科患者の上下顎歯牙の歯科保存物、歯科補綴物、或いは歯列矯正器具等の歯科製作物（以下、上下顎模型という。）を製作する際に用いられる咬合器に関する。
【０００２】
【従来の技術】
義歯等は、患者個々の顎の形態の特徴に応じて不正噛合が生じないように、咬合器を用いて立体的な調整が施されて製作される。咬合器は、一般に下顎模型が取り付けられる下顎模型取付台が設けられた下顎フレームと、フランクフルト平面を構成して下顎フレームに対して回動自在に組み合わされるとともに上顎模型が取り付けられる上顎模型取付台が設けられた上顎フレームとを備える。また、咬合器は、下顎フレームに設けられたインサイザルテーブルに上顎フレームに設けたインサイザルピンを突き当てることにより、下顎模型と上顎模型との噛合平面の高さ位置を決定する。
【０００３】
咬合器は、一般に解剖学的な顎の複雑な動きを正確に再現させることによってより精度の高い義歯等の上下顎模型を製作せんものと、上述した基本構成部材に対して種々の複雑な調整機構が付加されて構成されている。
【０００４】
例えば、特開平７−９５９９０号公報には、下顎模型を取り付ける下顎模型用支持台と上顎模型を取り付ける上顎模型用支持台とが相互の回転方向及び高さ方向の組合せ角度並びに前後の組合せ位置を調整自在とするように、下側フレームと上側フレームに対してそれぞれスライド機構と球面継手機構とを介して支持するようにした咬合器が開示されている。また、実公平６−３６８１２号公報には、スタンドに対して上側フレームと下側フレームとが前後方向にそれぞれスライド自在に支持されるとともに、上顎模型を取り付ける上顎模型用支持台と下顎模型を取り付ける下顎模型用支持台とが上側フレームと下側フレームに対してそれぞれ回転自在に支持された咬合器が開示されている。
【０００５】
【発明が解決しようとする課題】
従来の咬合器は、上述したように顎の極めて複雑な動作を正確に再現させるようにするために種々の機構が付設されることによって、必然的に構成部品が増えて全体の構成が複雑で高価となるとともに操作性や耐久性が劣化するといった問題があった。また、従来の咬合器は、比較的高価であるために、歯科医院等で多数組を用意することが困難となり各患者の上下顎模型を製作する都度この上下顎模型を交換して使用しなければならず効率が悪いといった問題があった。
【０００６】
咬合器は、一般に義歯等が上顎模型と下顎模型とを石膏を用いて形成されるとともに、洗浄等のために大量の水が使用される。したがって、咬合器は、石膏の粉や破片等を簡単に除去することができるとともに防錆対策が講じられて製作されなければならない。従来の咬合器は、種々の複雑な調整機構が付設されていることから、これら調整機構に侵入した石膏の粉や破片等を除去することが困難であり故障が発生したり錆が発生しやすいといった問題があった。
【０００７】
例えば、上述した特開平７−９５９９０号公報の咬合器は、上下顎模型を取り付ける支持台がそれぞれ球面継手機構によってフレームに支持されていることから、この球面継手機構の内部に石膏の粉や破片等が侵入することによって各支持台が円滑に調整動作されなかったり相互の位置決め精度が劣化するといった問題が生じる虞がある。また、実公平６−３６８１２号公報の咬合器においては、スタンドに対して上側フレームと下側フレームとがスムーズにスライド動作されないといった問題が生じる虞があるとともに、基準となる上顎模型も移動されることから基準位置が特定されなくなりかえって調整が困難になるといった問題がある。
【０００８】
咬合器は、実際に使用する側からは、多機能の構造を備えたものよりはむしろ操作性やメンテナンス性に優れるとともに、耐久性を有するとともに廉価であるものが望まれている。すなわち、咬合器は、複雑な顎の動作を全て再現する機能が備えられる必要は無く、患者の歯の噛み合いが十分に得られる程度の上下顎模型の製作、補正或いはその調整を可能とする必要最低限の機能を有していればよい。
【００１１】
また、咬合器は、上下顎模型の製作、補正或いは調整を行う際に頻繁に手で持って取り扱われることから、いわゆる把持性を有することも必要となる。従来の咬合器においては、もっぱら顎の動作を正確に再現させる機能が重視されているために、複雑な機構が付設されており把持しづらくかつ重量も重いために操作性が悪いといった問題があった。
【００１２】
したがって、本発明は、上述した従来の咬合器の問題点を解決して、上下顎模型の製作或いはその補正、調整が容易であり精度の高い上下顎模型が得られるとともに、構造が簡易で保守性、操作性が良好でありかつ廉価な咬合器を提供することを目的に提案されたものである。
【００１３】
【課題を解決するための手段】
上述した目的を達成する本発明にかかる咬合器は、下顎フレーム構体と上顎フレーム構体とを備える。下顎フレーム構体は、一対の柱部とこれら柱部間を連結する連結部とが一体に形成されてなるスタンド部材と、スタンド部材の連結部に対して基端部がスライド自在に組み合わされた下顎模型取付部材と、下顎模型取付部材の主面中央部に設けた取付部に取り付けられるとともに主面上に下顎模型が設置される下顎模型取付台と、下顎模型取付部材の他端部に設けられたインサイザルテーブルとから構成される。上顎フレーム構体は、スタンド部材のそれぞれの柱部に対して回動支持機構とスライド支持機構とを介して基部の両側部を回動自在かつスライド自在に支持されてなる上顎模型取付部材と、下顎模型取付台に対応して上顎模型取付部材のフランクフルト平面を構成する主面の中央部に設けた取付部に上記下顎模型取付部材のスライド方向に対して直交する水平方向に対して移動自在に取り付けられる上顎模型取付台と、上顎模型取付部材の先端部にスライド自在かつ首振り自在に支持する支持機構を介して取り付けられるインサイザルピンとから構成される。
【００１４】
咬合器は、下顎フレーム構体の各構成部材と上顎フレーム構体の各構成部材とが、それぞれの外周縁部の全体に緩やかな円弧状の面取りを施して構成される。また、咬合器は、下顎模型取付部材の主面に固定される基台部と、この基台部に対して高さ位置が調整自在とされるとともに下顎模型取付部材の主面に対する角度が調整自在に組み合わされた上顎模型取付基準台とからなる模型取付調整装置が用いられて、上顎模型が上顎フレーム構体を構成する上顎模型取付部材に設けた上顎模型取付台に装着される。
【００１５】
以上のように構成された本発明にかかる咬合器によれば、下顎模型取付台上に下顎模型が設置されるとともに上顎模型取付台上に上顎模型が設置される。咬合器においては、左右のスタンド部材に対して上顎模型取付部材をスライド操作することによって患者の左右の顎関節位置が正確に再現されて下顎模型と上顎模型との左右の高さ位置がそれぞれ調整される。咬合器においては、上顎模型取付部材に対して上顎模型取付台をスライド操作することによって患者の左右の噛合状態が正確に再現されて下顎模型と上顎模型との左右方向の噛み合わせ状態が調整される。咬合器によれば、スタンド部材に対して下顎模型取付部材をスライド操作することによって患者の前後の噛合状態が正確に再現されて下顎模型と上顎模型との前後方向の噛み合わせ状態が調整される。咬合器によれば、インサイザルピンをインサイザルテーブルの中心部に突き当てるように調整することにより患者の下顎と上顎との間隔に対応して下顎フレーム構体と上顎フレーム構体との対向間隔を設定してフランクフルト平面の高さ位置を再現する。咬合器は、スタンド部材に対する上顎模型取付部材の左右の高さ位置を調整することによってセンタがずれたインサイザルピンが、上顎模型取付部材に対して回動することによって調整される。咬合器においては、上述した各部の調整操作によって、必要最小限で患者の顎の動きが正確に再現されることから下顎模型と上顎模型の補正、調整が精密に行われるようにする。
【００１６】
また、咬合器によれば、下顎フレーム構体の各構成部材と上顎フレーム構体の各構成部材の外周縁部の全体に円弧状に面取りを施すことによって把持性が図られる。さらに、咬合器は、下顎模型取付部材に取り付けられる模型取付調整装置が用いられ、フランクフルト面に対してその上顎模型取付基準台の角度及び高さを調整した状態で上顎模型を仮止めする。咬合器は、上顎模型取付基準台を基準として上顎模型が上顎模型取付台に装着される。
【００１７】
【発明の実施の形態】
以下、本発明の実施の形態について図面を参照して詳細に説明する。咬合器１０は、図１乃至図３に示すように、下顎模型１が取り付けられる側面形状が略Ｌ字状を呈して組み立てられた下顎フレーム構体１１と、この下顎フレーム構体１１に対して回動自在に組み合わされるとともに上顎模型４が取り付けられる上顎フレーム構体１２とから構成される。下顎フレーム構体１１は、スタンド部材１３と、下顎模型取付部材１４と、下顎模型取付台１５と、インサイザルテーブル１６等の各部材によって構成される。上顎フレーム構体１２は、上顎模型取付部材１７と、上顎模型取付台１８と、板バネ部材１９と、インサイザルピン２０と、インサイザルピン保持部材２１等の各部材によって構成される。
【００１８】
咬合器１０は、詳細を後述する回動支持機構２２及びスライド支持機構２３とによって、下顎フレーム構体１１に対して上顎フレーム構体１２が回動自在かつ高さ方向にスライド自在に組み合わされてなる。咬合器１０は、回動支持機構２２を介して下顎フレーム構体１１に対して上顎フレーム構体１２が着脱自在に組み合わされてなる。咬合器１０は、詳細を後述するスライドガイド機構２４によって、下顎フレーム構体１１を構成するスタンド部材１３に対して下顎模型取付部材１４がスライド自在に組み合わされてなる。
【００１９】
咬合器１０は、スライドガイド機構２４を介してスタンド部材１３に対して調整自在とされた下顎模型取付部材１４を所定の位置に設定して固定するための第１の固定ねじ部材２５と、下顎模型取付部材１４に対して下顎模型取付台１５を固定するための第２の固定ねじ部材２６とを備える。咬合器１０は、スライド支持機構２３を介してスタンド部材１３に対して高さ位置を調整自在とされた上顎模型取付部材１７を所定の位置に設定して固定するための左右一対の第３の固定ねじ部材２７（２７ａ，２７ｂ）を備える。咬合器１０は、上顎模型取付部材１７に対して上顎模型取付台１８を固定するための第４の固定ねじ部材２８を備える。咬合器１０は、上顎模型取付部材１７に対してインサイザルピン保持部材２１を固定するための第５の固定ねじ部材２９を備える。
【００２０】
咬合器１０は、図２に示すように、通常下顎フレーム構体１１と上顎フレーム構体１２とが側面形状を略コ字状を呈するようにして組み合わされ、下顎模型１と上顎模型４の製作が行われる。咬合器１０は、この状態で上顎フレーム構体１２側のインサイザルピン２０の下端が下顎フレーム構体１１側のインサイザルテーブル１６に突き当てられることにより、下顎フレーム構体１１と上顎フレーム構体１２との間隔がフランクフルト平面に対応して設定される。咬合器１０は、下顎フレーム構体１１に対して上顎フレーム構体１２が回動操作された場合に、図３に示すように、９０°以上回動された位置において停止保持される。咬合器１０は、詳細を後述するが、回動支持機構２２を介して下顎フレーム構体１１に対して上顎フレーム構体１２の取外しが可能とされる。
【００２１】
スタンド部材１３は、例えばアルミダイキャストやステンレス材等の防錆性に優れた金属材料により、一対の柱部１３ａ，１３ｂと、これら柱部１３ａ，１３ｂを下方部において一体に連結する連結部１３ｃとからなる略上向きコ字状を呈して成形されてなる。スタンド部材１３は、図１及び図２に示すように、連結部１３ｃの底面の両側部分がそれぞれ下方へと円弧状凸部として膨出されて台座部１３ｄ，１３ｅを構成している。スタンド部材１３は、顎をイメージさせながら下顎模型１と上顎模型４の製作が行われるように、図２に示すように、柱部１３ａ，１３ｂの側面形状が顎骨の張り具合、すなわちエラの形状に対応した緩やかな円弧状を付されて形成されている。スタンド部材１３は、外周縁部の全体にやや大きな曲率の面取りを施すことによって把持性の向上が図られている。
【００２２】
スタンド部材１３には、柱部１３ａ，１３ｂに、図１及び図４，図５に示すように、詳細を後述するスライド支持機構２２を構成する高さ方向のスライドガイド孔１３ｆ，１３ｇが上端面に開口して形成されている。柱部１３ａ，１３ｂには、これらスライドガイド孔１３ｆ，１３ｇに連通するねじ孔１３ｈ，１３ｉが側面に開口して設けられている。スタンド部材１３には、図６に示すように、連結部１３ｃの底面の中央部に位置して詳細を後述する下顎模型取付部材１４をスライド自在に支持するスライドガイド機構２４の構成部位が設けられている。スライドガイド機構２４は、その構成部位が、前後方向のスライドガイド凸部１３ｊと、このスライドガイド凸部１３ｊに沿って形成された一対のスライドガイド溝１３ｋ，１３ｌと、スライドガイド凸部１３ｊに連通するねじ孔１３ｍとからなる。
【００２３】
下顎模型取付部材１４は、例えばアルミダイキャストやステンレス材等により全体板状を呈して形成されてなり、中央部が詳細を後述する下顎模型取付台１５を取り付ける台取付部１４ａとして両側に円弧状に膨出形成されてなり、先端部に詳細を後述するインサイザルテーブル１６が装着されるテーブル取付溝１４ｂが形成され、さらに基端部にスライドガイド機構２４の構成部位が形成されている。台取付部１４ａには、その中心位置に後述する下顎模型取付台１５を取り付けるためのねじ孔１４ｃが形成されている。
【００２４】
スライドガイド機構２４は、図６に示すようにその構成部位が、台取付部１４ａの後端部からスタンド部材１３の連結部１３ｃの厚み寸法分を段落ちされて一体に突設された一対のスライド凸片部１４ｄ，１４ｅと、これらスライド凸片部１４ｄ，１４ｅ間に構成された前後方向のスライドガイド溝１４ｆとからなる。スライド凸片部１４ｄ，１４ｅは、幅寸法がスタンド部材１３のスライドガイド溝１３ｋ，１３ｌの溝幅寸法とほぼ等しい。スライドガイド溝１４ｆは、溝幅寸法がスタンド部材１３のスライドガイド凸部１３ｊの幅寸法とほぼ等しい。なお、下顎模型取付部材１４には、先端部の底面に円弧状凸部として膨出されて台座部１４ｇが形成されている。また、一方のスライド凸片部１４ｄには、図６に示すように、その側面に指標１４ｈが設けられている。指標１４ｈは、後述するようにスタンド部材１３に対して下顎模型取付部材１４をスライド操作した際のスライド量を表示する。
【００２５】
以上の部位によって構成されたスライドガイド機構２４は、スライドガイド溝１３ｋ，１３ｌにスライド凸片部１４ｄ，１４ｅがそれぞれ相対係合されるとともにスライドガイド凸部１３ｊがスライドガイド溝１４ｆに相対係合されることによって、スタンド部材１３の連結部１３ｃに対して下顎模型取付部材１４の基端部を前後方向にスライド自在に片持ち支持する。下顎模型取付部材１４は、上述したように第１の固定ねじ部材２５を締め付けることによってスタンド部材１３に対して固定される。
【００２６】
第１の固定ねじ部材２５は、図６に示すように、円盤状の操作部２５ａと、この操作部２５ａの中心に設けられたねじ部２５ｂとからなる。第１の固定ねじ部材２５は、下顎模型取付部材１４の底面側から、スライドガイド溝１４ｆを介してねじ部２５ｂがスタンド部材１３のねじ孔１３ｍにねじ込まれる。第１の固定ねじ部材２５は、操作部２５ａの内面によってスライド凸片部１４ｄ，１４ｅをスライドガイド溝１３ｋ，１３ｌ内に押し付けることによって、下顎模型取付部材１４をスタンド部材１３の連結部１３ｃに固定する。
【００２７】
咬合器１０においては、上述したスライドガイド機構２４を介して、スタンド部材１３に対して下顎模型取付部材１４が図４に示した状態から前方へとスライドガイド溝１４ｆの範囲で調整される。咬合器１０は、第１の固定ねじ部材２５を緩めた状態で、スタンド部材１３に対して下顎模型取付部材１４が前方へとスライド操作される。咬合器１０は、図５に示すように指標１４ｈを基準として下顎模型取付部材１４を所定の引出量Δｘスライド操作した状態で、第１の固定ねじ部材２５を締め付けることによって、この下顎模型取付部材１４がスタンド部材１３に対して固定される。咬合器１０は、これによって患者の前後方向の噛合状態が再現されて、下顎模型１と上顎模型４との前後方向の噛合状態の調整が行われるようにする。
【００２８】
なお、上述したスライドガイド機構２４において、スタンド部材１３側のスライドガイド凸部１３ｊとスライドガイド溝１３ｋ，１３ｌとの構成を下顎模型取付部材１４側に形成するとともに、下顎模型取付部材１４側のスライド凸片部１４ｄ，１４ｅとスライドガイド溝１４ｆとの構成をスタンド部材１３側に形成するようにしてもよい。また、スタンド部材１３側のスライドガイド凸部１３ｊとスライドガイド溝１３ｋ，１３ｌとは、１個のスライドガイド凸部と長孔とされたスライドガイド溝とによって構成してもよい。
【００２９】
下顎模型取付部材１４には、台取付部１４ａ上に下顎模型取付台１５が取り付けられる。下顎模型取付台１５には、図１乃至図３に示すように、装着用石膏２と金属プレート３を介して下顎模型１が装着される。下顎模型取付台１５は、図７に示すように、略円盤状を呈する基板部１５ａと、この基板部１５ａの主面に一体に突設された環状凸部１５ｂとからなる。基板部１５ａには、その中心に環状凸部１５ｂの内面に貫通するねじ孔１５ｃが設けられている。環状凸部１５ｂには、その内部に下顎模型１の金属プレート３をマグネットチャッキングする円盤状のマグネット板３０が取り付けられている。
【００３０】
下顎模型取付台１５は、上述したように第２の固定ねじ部材２６によって下顎模型取付部材１４の台取付部１４ａ上に固定される。第２の固定ねじ部材２６は、図７に示すように、円盤状の操作部２６ａと、この操作部２６ａの中心に設けられたねじ部２６ｂとからなる。第２の固定ねじ部材２６は、同図に示すようにねじ部２６ｂが下顎模型取付部材１４の底面側からそのねじ孔１４ｃを介して下顎模型取付台１５のねじ孔１５ｃにねじ込まれることによって、下顎模型取付台１５を下顎模型取付部材１４の台取付部１４ａ上に固定する。
【００３１】
下顎模型取付部材１４には、テーブル取付溝１４ｂにインサイザルテーブル１６が着脱自在に組み合わされる。インサイザルテーブル１６は、詳細を省略するが、テーブル取付溝１４ｂに相対係合する前後方向の係合凸部が側面に形成された基部１６ａと、この基部１６ａの先端部に一体に形成されたテーブル部１６ｂとからなる。テーブル部１６ｂは、その主面が前下がりの傾斜面として構成されるととともに、後述するようにインサイザルピン２０の先端部が突き当てられる略Ｖ字状の突当溝１６ｃが形成されてなる。インサイザルテーブル１６は、患者の下顎の形態によって突当溝１６ｃの開き角度が異なるために、適合する角度を有するものが選択されて下顎模型取付部材１４に取り付けられる。インサイザルテーブル１６は、下顎模型取付部材１４の先端からテーブル取付溝１４ｂに対して挿脱操作することによって交換される。
【００３２】
上顎模型取付部材１７は、例えばアルミダイキャストによって一体に形成されてなり、スタンド部材１３と対向する基部３１と、この基部３１の中央部から前方へと一体に突設されて下顎模型取付部材１４と平行に対峙する上顎模型取付部３２とからなる略Ｔ字状を呈している。上顎模型取付部材１７には、図８に示すように、基部３１の底面に、その長手方向の両側に位置して後述する回転支持機構２２を構成する係合凸部３１ａ，３１ｂによって側面と前面側とが開放された係合溝３１ｃ，３１ｄがそれぞれ形成されている。係合溝３１ｃ，３１ｄは、詳細を省略するが底面部が円弧状を呈している。上顎模型取付部材１７には、基部３１の中央部に位置して板バネ部材１９を取り付けるための板バネ取付部３１ｅが形成されている。上顎模型取付部材１７には、板バネ取付部３１ｅの両側に図示しないコイルスプリングがそれぞれ装填されるコイル取付部３１ｆ，３１ｇが形成されている。
【００３３】
以上のように構成された基部３１には、板バネ取付部３１ｅに板バネ部材１９が取り付けられる。板バネ部材１９は、両端部に前方側へと突出された係止片１９ａ，１９ｂが一体に形成されることによって略クランク状に折曲されてなる。板バネ部材１９は、上顎模型取付部材１７に取り付けられることによって係合溝３１ｃ，３１ｄの底面部を構成する。また、板バネ部材１９は、詳細を省略するが、コイル取付部３１ｆ，３１ｇに装填されたコイルスプリングによって係止片１９ａ，１９ｂが係合溝３１ｃ，３１ｄの溝幅を拡げる方向に付勢されている。板バネ部材１９は、基部３１に回動自在に取り付けられた図示しないロック部材によってコイルスプリングの弾性力に抗して係止片１９ａ，１９ｂが係合溝３１ｃ，３１ｄの溝幅を狭める方向に押圧されてなる。
【００３４】
上顎模型取付部３２は、中央部が詳細を後述する上顎模型取付台１８を取り付ける台取付部３２ａとして両側に円弧状に膨出形成されてなり、先端部に詳細を後述するインサイザルピン保持部材２１が取り付けられる取付部３２ｂが形成されてなる。また、上顎模型取付部３２には、台取付部３２ａの中心位置に上顎模型取付台１８を取り付けるための左右方向の長孔とされた長孔３２ｃが形成されるとともに、この長孔３２ｃを挟んで一対の係合ピン３２ｄ，３２ｅが立設されている。上顎模型取付部３２には、台取付部３２ａ上に上顎模型取付台１８が取り付けられる。
【００３５】
上顎模型取付台１８には、図１乃至図３に示すように、装着用石膏５と金属プレート６を介して上顎模型４が装着される。上顎模型取付台１８は、図９に示すように、略円盤状を呈する基板部１８ａと、この基板部１８ａの主面に一体に突設された環状凸部１８ｂとからなる。基板部１８ａには、その中心に環状凸部１８ｂの内面に貫通するねじ孔１８ｃが設けられている。環状凸部１８ｂには、その内部に上顎模型４の金属プレート６をマグネットチャッキングする円盤状のマグネット板３３が取り付けられている。また、上顎模型取付台１８には、ねじ孔１８ｃを挟んで左右位置に長溝１８ｄ，１８ｅが形成されている。これら長溝１８ｄ，１８ｅには、上顎模型取付台１８を上顎模型取付部材１７に組み合わせた状態において、上顎模型取付台１８に立設した係合ピン３２ｄ，３２ｅが相対係合する。
【００３６】
上顎模型取付台１８は、上述したように第４の固定ねじ部材２８によって上顎模型取付部材１７の台取付部３２ａ上に左右方向の位置を調整自在にして固定される。第４の固定ねじ部材２８は、図９に示すように、円盤状の操作部２８ａと、この操作部２８ａの中心に設けられたねじ部２８ｂとからなる。第４の固定ねじ部材２８は、同図に示すようにねじ部２８ｂが上顎模型取付部３２の上面側からその長孔３２ｃを介して上顎模型取付台１８のねじ孔１８ｃにねじ込まれることによって、上顎模型取付台１８を上顎模型取付部材１７の台取付部３２ａ上に固定する。この場合、上顎模型取付台１８は、上顎模型取付部３２の長孔３２ｃの長さ範囲において同図矢印で示すように左右方向の位置が調整される。また、上顎模型取付台１８は、長溝１８ｄ，１８ｅに係合された係合ピン３２ｄ，３２ｅによって回転方向の移動が規制される。
【００３７】
以上のように構成された上顎模型取付部材１７は、回動支持機構２２及びスライド支持機構２３とによって下顎フレーム構体１１を構成するスタンド部材１３の上部に回転自在かつ上下方向に移動自在に組み合わされる。回動支持機構２２は、軸受部材３５（３５ａ，３５ｂ）と、支軸３６（３６ａ，３６ｂ）と、関節軸受部材３７（３７ａ，３７ｂ）との各部材によって構成される。スライド支持機構２３は、軸受部材３５とスライド軸３４（３４ａ，３４ｂ）との各部材によって構成される。回動支持機構２２は、上述したようにスタンド部材１３に対して上顎模型取付部材１７を所定の角度範囲で回動自在に支持するとともに、この上顎模型取付部材１７をスタンド部材１３に対して着脱自在とする。スライド支持機構２３は、スタンド部材１３に対して上顎模型取付部材１７の高さ位置を調整自在とする。
【００３８】
スライド軸３４は、それぞれの下端部が、スタンド部材１３の柱部１３ａ，１３ｂに設けたスライドガイド孔１３ｆ，１３ｇに挿通されている。スライド軸３４には、上端部がそれぞれ軸受部材３５に固定されている。スライド軸３４には、図１１に示すように、後述するスタンド部材１３に対する上顎模型取付部材１７の高さ位置の調整に際してスライド量の表示するための指標３４ｃが設けられている。
【００３９】
軸受部材３５には、それぞれ図示しないが水平方向の軸孔が貫通して設けられており、これら軸孔に支軸３６が回転自在に軸装されている。支軸３６には、それぞれその先端部に球形の関節軸受部材３７が一体に形成されている。関節軸受部材３７は、図８に示すように上顎模型取付部材１７の基部３１に形成した係合溝３１ｃ，３１ｄにそれぞれ相対係合している。関節軸受部材３７は、係合溝３１ｃ，３１ｄに相対係合された状態において、上述したように図示しないロック部材により係合溝３１ｃ，３１ｄの溝幅を狭める方向に押圧された板バネ部材１９の係止片１９ａ，１９ｂによってこれら係合溝３１ｃ，３１ｄの底面に押し付けられている。関節軸受部材３７は、患者の顎関節に対応する。
【００４０】
咬合器１０は、以上の部材によって構成された回動支持機構２２を備えることにより、例えば上顎模型取付部材１７に上顎模型４を取り付ける場合やこの上顎模型４或いは下顎模型１を調整する場合等において、図３に示すようにスタンド部材１３に対して上顎模型取付部材１７を回動操作するようにする。また、咬合器１０は、スタンド部材１３に対して上顎模型取付部材１７が回動操作された状態において、図示しないロック部材のロック解除操作により係合溝３１ｃ，３１ｄが板バネ部材１９の係止片１９ａ，１９ｂによる溝幅を狭められた状態を解除されることによって、関節軸受部材３７を係合溝３１ｃ，３１ｄから取り外し可能とする。咬合器１０においては、上顎模型取付部材１７が、スタンド部材１３から同図矢印で示す方向に取り外される。
【００４１】
咬合器１０は、上述した部材によって構成されるスライド支持機構２３を備えることにより、スタンド部材１３に対して上顎模型取付部材１７を高さ方向にスライド操作して下顎模型１と上顎模型４との噛合高さの調整或いは左右の噛合調整が行われる。すなわち、咬合器１０においては、図１０に示した状態から第３の固定ねじ部材２７が緩められてスライドガイド孔１３ｆ，１３ｇ中におけるスライド軸３４のロック状態が解除される。咬合器１０は、この状態で指標３４ｃを目安として、スタンド部材１３に対して上顎模型取付部材１７が上方へと持ち上げられる。咬合器１０は、スタンド部材１３に対して上顎模型取付部材１７を所定の高さ位置に持ち上げた状態において第３の固定ねじ部材２７を締め付けることにより、図１１に示すように上顎模型取付部材１７が所定の高さ位置に設定される。したがって、咬合器１０は、上述した操作により患者の噛合高さ位置が再現され、下顎模型１と上顎模型４との噛合高さの調整が行われるようにする。
【００４２】
咬合器１０は、上述したスタンド部材１３に対する上顎模型取付部材１７の高さ調整操作が左右のスライド支持機構２３ａ，２３ｂにおいてそれぞれ独立して行われる。咬合器１０は、これによってスタンド部材１３に対する上顎模型取付部材１７の左右の高さ位置がそれぞれ独立に調整される。したがって、咬合器１０は、この操作により患者の左右の噛合状態が再現され、下顎模型１と上顎模型４との左右の噛合調整が行われるようにする。
【００４３】
ところで、咬合器１０においては、左右のスライド支持機構２３ａ，２３ｂを独立に調整することにより、上顎模型取付部材１７が傾いてインサイザルピン２０の垂直度が保持されなくなることから、図１２及び図１３に示すようにこのインサイザルピン２０の角度を調整自在とする機構が付設されている。角度調整機構は、台取付部３２ａの先端部に形成された取付部３２ｂと、この取付部３２ｂに取り付けられたインサイザルピン保持部材２１等の部材によって構成される。すなわち、取付部３２ｂには、図１３に示すように前端部に開口する水平方向の取付孔３２ｆが形成されるとともにこの取付孔３２ｆに連通するねじ孔３２ｇが形成されている。ねじ孔３２ｇには、同図に示すように、円盤状の操作部２９ａと、この操作部２９ａの中心に設けられたねじ部２９ｂとからなる第５の固定ねじ部材２９がそのねじ部２９ｂをねじ込まれる。
【００４４】
インサイザルピン保持部材２１は、取付部３２ｂとほぼ等しい厚みを有する矩形を呈するとともに外周縁の全体に面取りが施されてなる。インサイザルピン保持部材２１には、上下主面を貫通してインサイザルピン取付孔２１ａが設けられている。インサイザルピン保持部材２１には、取付部３２ｂとの対向側面に開口する水平方向の取付孔２１ｂが設けられている。インサイザルピン保持部材２１には、その側面にインサイザルピン取付孔２１ａに連通するねじ孔２１ｃが設けられている。インサイザルピン保持部材２１には、インサイザルピン取付孔２１ａにインサイザルピン２０が貫通されて支持される。インサイザルピン保持部材２１には、取付孔２１ｂに先端部を突出させて連結軸３８が嵌合されている。インサイザルピン保持部材２１には、ねじ孔２１ｃに固定ねじ部材３９がねじ込まれる。
【００４５】
インサイザルピン保持部材２１は、連結軸３８が取付部３２ｂの取付孔３２ｆに挿通されることによって、上顎模型取付部材１７に対して回動自在かつ前後方向にスライド自在に組み合わされる。インサイザルピン保持部材２１は、ねじ孔３２ｇにねじ込まれた第５の固定ねじ部材２９によって連結軸３８が固定されることによって上顎模型取付部材１７の取付部３２ｂの先端部に固定される。なお、連結軸３８には、図１３に示すように取付部３２ｂに対してインサイザルピン保持部材２１の突出量を表示するための指標３８ａが設けられている。
【００４６】
インサイザルピン２０には、高さ方向の中央位置に指標２０ａが刻印され、図１に示すように先端がインサイザルテーブル１６の突当溝１６ｃに突き当てられるようにしてインサイザルピン保持部材２１に支持される。インサイザルピン２０は、上述したようにインサイザルピン取付孔２１ａに貫通されるが、ねじ孔２１ｃにねじ込まれる固定ねじ部材３９によって固定される。インサイザルピン２０は、上述したようにスライド支持機構２３を介してスタンド部材１３に対して上顎模型取付部材１７が高さ位置を左右独立に調整されることから、インサイザルテーブル１６に対して高さ調整とともに左右方向のズレ調整も必要となる。
【００４７】
すなわち、咬合器１０においては、スタンド部材１３に対する上顎模型取付部材１７の調整操作によって、図１２に示すようにインサイザルピン２０がインサイザルテーブル１６に対してやや傾いた状態で突き当てられるようになる。咬合器１０は、このインサイザルピン２０の傾きを角度調整機構によって補正する。咬合器１０は、第５の固定ねじ部材２９を緩めて連結軸３８を支点としてインサイザルピン保持部材２１が上顎模型取付部材１７に対して回動され、インサイザルピン２０がインサイザルテーブル１６の突当溝１６ｃに突き当てられるようにする。咬合器１０は、しかる後第５の固定ねじ部材２９が締め付けられてインサイザルピン保持部材２１を上顎模型取付部材１７に対して固定し、インサイザルピン２０がインサイザルテーブル１６の突当溝１６ｃに突き当てられた状態を保持する。
【００４８】
一方、咬合器１０は、上述したようにスライドガイド機構２４を介してスタンド部材１３に対して下顎模型取付部材１４をスライド操作させて下顎模型１と上顎模型４との前後方向の噛合調整が行われるようにする。咬合器１０は、下顎模型取付部材１４のスライド操作によってインサイザルテーブル１６とインサイザルピン２０との相対位置が変化する。咬合器１０は、第５の固定ねじ部材２９が緩められて、指標３８ａを目安として連結軸３８を介してインサイザルピン保持部材２１が上顎模型取付部材１７から引き出される。咬合器１０は、しかる後第５の固定ねじ部材２９を締め付けることによってインサイザルピン２０の前後方向の位置が規定される。
【００４９】
以上のように構成された咬合器１０について、下顎模型１と上顎模型４の取付操作と、これら下顎模型１と上顎模型４との噛合調整の方法について以下説明する。なお、下顎模型１と上顎模型４との噛合調整とは、実際には患者の顎の形態に応じて咬合器１０の各部の位置を再現する操作であり、再現された各部を基準として下顎模型１と上顎模型４とが３次元方向で正常に噛み合わされるように調整或いは補正が行われる。咬合器１０には、上述したように上顎模型取付台１８の主面上に上顎模型４が装着される。上顎模型４は、図１に示すようにインサイザルピン２０の指標２０ａに噛合位置を合わせるようにして接着用石膏５の厚み量が調整され、またこの接着用石膏５に金属プレート６が埋設されてなる。上顎模型４は、金属プレート６がマグネット板３３にマグネットチャッキングされることによって上顎模型取付台１８上に装着される。
【００５０】
咬合器１０には、上顎模型４を装着した上顎模型取付台１８が、上顎模型４の状態に応じて長孔３２ｃの長さ範囲において左右方向に調整移動されて位置決めされた後、第４の固定ねじ部材２８を締め付けることにより上顎模型取付部材１７の上顎模型取付部３２の主面上に固定される。咬合器１０には、下顎模型取付台１５の主面上に下顎模型１が装着される。下顎模型１は、インサイザルピン２０の指標２０ａに噛合位置を合わせるようにして接着用石膏２の厚み量が調整され、またこの接着用石膏２に金属プレート３が埋設されてなる。下顎模型１は、金属プレート３がマグネット板３０にマグネットチャッキングされることによって下顎模型取付台１５上に装着される。
【００５１】
咬合器１０は、下顎模型１と上顎模型４との噛合高さの調整がスライド支持機構２３を操作することによって行われるとともに、インサイザルピン２０の高さ調整が行われる。咬合器１０は、この場合左右のスライド支持機構２３ａ，２３ｂをそれぞれ独立して操作することにより、下顎模型１と上顎模型４の左右の噛合高さの調整が行われる。咬合器１０は、これによって生じるインサイザルピン２０の傾きがインサイザルピン保持部材２１を回動操作することによって調整される。咬合器１０は、下顎模型１と上顎模型４との前後方向の噛合調整がスライドガイド機構２４を操作することによって行われる。
【００５２】
下顎模型１と上顎模型４とは、咬合器１０を用いてその上顎模型取付部材１７に装着した上顎模型４を基準として下顎模型１の調整や補正が行われて製作される。したがって、咬合器１０においては、上顎模型取付部材１７に対して上顎模型４を精度よく装着するために模型取付調整装置５０が用いられる。模型取付調整装置５０は、図１４及び図１５に示すように、基台部材５１と、連結軸部材５２と、支持部材５３と、回動部材５４と、上顎模型取付基準台５５等の部材によって構成される。
【００５３】
基台部材５１は、円盤状の基部５１ａと、この基部５１ａの中心部から一体に立設されるとともに上端に開口する取付孔５１ｃが設けられて円筒状とされた支持部５１ｂとからなる。取付孔５１ｃは、基部５１ａを貫通しており、その下端部にはねじブッシュ５１ｅが嵌合されている。支持部５１ｂには、その側面に取付孔５１ｃに貫通するねじ孔５１ｄが設けられている。連結軸部材５２は、下端部が取付孔５１ｃに挿入されるとともに上端部に支持部材５３が一体化されてなる。連結軸部材５２には、インサイザルピン２０の指標２０ａに対応して噛み合いの高さ位置を表示する指標５２ａが設けられている。連結軸部材５２は、ねじ孔５１ｄにねじ込まれる止めねじ５９によって基台部材５１に固定される。連結軸部材５２は、止めねじ５９を緩めることによって取付孔５１ｃ内をスライド操作され、上顎模型取付基準台５５の高さ位置を調整するようにする。
【００５４】
支持部材５３は、図１５に示すように、一方の側面に回動部材５４が組み付けられる空間部５３ａが切り欠き形成されることにより断面が略Ｌ字状を呈している。また、支持部材５３には、この空間部５３ａに位置して水平方向のねじ孔５３ｂが設けられている。回動部材５４は、支持部材５３の空間部５３ａとほぼ等しい厚みを有する支点部５４ａとその上端に一体に形成された水平な略半円形を呈する取付部５４ｂとからなる。回動部材５４には、支点部５４ａを空間部５３ａに重ね合わせて支持部材５３に組み合わせた状態において、ねじ孔５３ｂに連通する貫通孔５４ｃが設けられている。
【００５５】
回動部材５４には、側面に回動量を表示するための指標５４ｄが設けられている。回動部材５４は、ねじ部５６ａを貫通孔５４ｃを介してねじ孔５３ｂにねじ込んだ固定ねじ部材５６によって支点部５４ａが支持部材５３に対して固定される。回動部材５４は、固定ねじ部材５６を緩めることによって、支持部材５３に対して指標５４ｄを目安として所定の角度量を回動操作される。
【００５６】
上顎模型取付基準台５５は、板状を呈しており回動部材５４の取付部５４ｂ上に重ね合わされてねじ止め固定されている。回動部材５４は、図示しないが先端の中央に位置して、位置決めピン５７が組み付けられる前後方向のスリットが形成されている。位置決めピン５７は、上顎模型４の中心位置（正中縫合線）を規定する部材であり、図１４に示すようにスリットに沿って前後方向にスライド操作された状態で上下一対の止め固定ねじ部材５８ａ，５８ｂを締め付けることによって固定される。
【００５７】
以上のように構成された模型取付調整装置５０は、図１６に示すように、下顎模型取付台１５が取り外された咬合器１０の下顎模型取付部材１４上に第２の固定ねじ部材２６によって取り付けられる。模型取付調整装置５０は、連結軸部材５２がその指標５２ａをインサイザルピン２０の指標２０ａに合わせるようにしてその高さ位置が調整される。模型取付調整装置５０は、この操作によってフランクフルト平面に対する上顎模型取付基準台５５の高さ位置が規定される。模型取付調整装置５０は、固定ねじ部材５６を緩めた状態で支持部材５３に対して回動部材５４を所定の角度回動操作することにより患者のフランクフルト平面に対する噛合面の傾きに応じて上顎模型取付基準台５５の傾きが設定される。模型取付調整装置５０には、上顎模型取付基準台５５の主面上に、図１６に示すように上顎模型４が仮止めされる。
【００５８】
上顎模型４は、仮止めされる際に、位置決めピン５７を介してその中心を位置決めされる。上顎模型４には、図１７に示すように、上顎模型取付台１８との間を埋める装着用石膏５が盛り込まれてこの上顎模型取付台１８に固定される。なお、装着用石膏５には、金属プレート６が埋設される。上顎模型４は、上顎模型取付台１８に固定された状態で模型取付調整装置５０の上顎模型取付基準台５５から取り外される。
【００５９】
咬合器１０には、下顎模型取付部材１４に第２の固定ねじ部材２６によって下顎模型取付台１５が取り付けられるとともに、この下顎模型取付台１５上に装着用石膏２と金属プレート３を介して下顎模型１が装着される。咬合器１０は、上顎模型取付部材１７に対して位置決めされた状態で装着された上顎模型４を基準として下顎模型取付部材１４に対して下顎模型１を装着するようにする。勿論、咬合器１０は、模型取付調整装置５０を用いること無く下顎模型１と上顎模型４とを装着するようにしてもよい。
【００６０】
上述した模型取付調整装置５０は、基台部材５１と上顎模型取付基準台５５との間に高さ調整と角度調整とを行うために、連結部材５２と、支持部材５３及び回動部材５４を設けたが、かかる構成に限定されるものでは無いことは勿論である。模型取付調整装置５０は、例えば上顎模型取付基準台５５の角度調整機構を備え、基台部材５１に対してこの上顎模型取付基準台５５を直接回動自在に組み合わせて構成してもよい。
【００６１】
【発明の効果】
以上詳細に説明したように、本発明にかかる咬合器によれば、上顎模型取付部材に対して上顎模型取付台を左右方向に調整自在に組み合せ、上顎模型取付部材をスタンド部材に対して左右独立して高さ方向に調整自在に組み合せ、スタンド部材に対して下顎模型取付部材を前後方向に調整自在に組み合せ、インサイザルピンを上顎模型取付部材に対して回転方向かつ高さ方向に対して調整自在に組み合せることにより各方向の調整をそれぞれ独立した部位において行って患者の顎の形態を精密に再現するように構成したことにより、構造の簡易化が図られるとともに調整が容易となり精度の高い上顎模型と下顎模型とが効率的に製作することが可能となる。また、咬合器は、下顎模型の取付台部分に直接各調整部位が設けられていないことから錆や石膏の付着等によって調整不能といった事態の発生が防止され、保守性が良好であるとともに取り扱いが簡便である。
【００６２】
また、咬合器は、下顎模型取付部材に取り付けられる模型取付調整装置が用いられて上顎模型が上顎模型取付台に精度よく装着されることから、より高精度の上顎模型と下顎模型とが効率的に製作される。
【図面の簡単な説明】
【図１】本発明の実施の形態として咬合器の一部切欠き正面図である。
【図２】同咬合器の側面図である。
【図３】同咬合器について、上顎模型取付部材を回動した状態を示す側面図である。
【図４】同咬合器を構成するスタンド部材及び下顎模型取付部材の構成を示す一部切欠き平面図である。
【図５】同咬合器において、スタンド部材に対して下顎模型取付部材を前方へと引き出した状態を示す一部切欠き平面図である。
【図６】同咬合器において、スタンド部材と下顎模型取付部材との間に構成されるスライドガイド機構を説明する分解斜視図である。
【図７】同咬合器を構成する下顎模型取付部材と下顎模型取付台との組合せ構造を説明する要部縦断面図である。
【図８】同咬合器を構成する上顎模型取付部材の構成を説明する底面図である。
【図９】同咬合器を構成する上顎模型取付部材と上顎模型取付台との組合せ構造を説明する要部縦断面図である。
【図１０】同咬合器において、スタンド部材に対して上顎模型取付部材の高さ位置を調整するスライド支持機構の操作を説明する要部側面図であり、上顎模型取付部材が最下部に位置された状態を示す。
【図１１】同咬合器において、スタンド部材に対して上顎模型取付部材の高さ位置を調整するスライド支持機構の操作を説明する要部側面図であり、上顎模型取付部材を上方へとスライド操作した状態を示す。
【図１２】同咬合器において、インサイザルピンの角度調整操作を説明する要部正面図である。
【図１３】同咬合器において、インサイザルピンの支持構造を説明する要部分解斜視図である。
【図１４】同咬合器に用いられて、上顎模型取付部材に対して上顎模型を装着する際の基準治具を構成する模型取付調整装置の側面図である。
【図１５】同模型取付調整装置の縦断面図である。
【図１６】同模型取付調整装置を咬合器に取り付けるとともに、この模型取付調整装置によって上顎模型を位置決めした状態を説明する図である。
【図１７】同模型取付調整装置によって位置決めされた上顎模型を上顎模型取付部材に対して装着する操作を説明する図である。
【符号の説明】
１  下顎模型、４  上顎模型、１０  咬合器、１１  下顎フレーム構体、１２上顎フレーム構体、１３  スタンド部材、１４  下顎模型取付部材、１５  下顎模型取付台、１６  インサイザルテーブル、１７  上顎模型取付部材、１８  上顎模型取付台、２０  インサイザルピン、２１  インサイザルピン保持部材、２２  回動支持機構、２３  スライド支持機構、２４  スライドガイド機構、２５乃至２９  固定ねじ部材、３０，３３  マグネット板、３１  上顎模型取付部材の基部、３２  同上顎模型取付部、３４  スライド軸、３５  軸受部材、３６  支軸、３７  関節軸受、３８  連結ピン、５０    模型取付調整装置、５１  基台部材、５２  連結軸部材、５３  支持部材、５４  回動部材、５５  上顎模型取付基準台
【図１】
0003555829.tif 000002
【図２】
0003555829.tif 000003
【図３】
0003555829.tif 000004
【図４】
0003555829.tif 000005
【図５】
0003555829.tif 000006
【図６】
0003555829.tif 000007
【図７】
0003555829.tif 000008
【図８】
0003555829.tif 000009
【図９】
0003555829.tif 000010
【図１０】
0003555829.tif 000011
【図１１】
0003555829.tif 000012
【図１２】
0003555829.tif 000013
【図１３】
0003555829.tif 000014
【図１４】
0003555829.tif 000015
【図１５】
0003555829.tif 000016
【図１６】
0003555829.tif 000017
【図１７】
0003555829.tif 000018